(57)【要約】      （修正有）【課題】両方向に動くことが可能なよじ登りおもちゃを提供する。【解決手段】枠の一の部分に設けられたロープを通す２つの穴と、前記一の部分に向かい合う他の部分に設けられたロープを通す２つの穴の間におけるロープが直線状態にならないようにじゃま板を有する。【選択図】図３
0003163569.tif 000002
【実用新案登録請求の範囲】
【請求項１】
ロープを用いて動作するよじ登りおもちゃにおいて、枠の一の部分に設けられたロープを通す２つの穴と、前記一の部分に向かい合う他の部分に設けられたロープを通す２つの穴の間におけるロープが直線状態にならないようにする手段を有することを特徴とするよじ登りおもちゃ。
【請求項２】
請求項１において、前記ロープが直線状態にならないようにする手段が、枠内に設けられたじゃま板であるよじ登りおもちゃ。
【請求項３】
請求項１において、前記ロープが直線状態にならないようにする手段が、ロープを枠の外へ遠回りさせるよじ登りおもちゃ。
【請求項４】
ロープを用いて動作するよじ登りおもちゃにおいて、ロープを通す穴を４つ有する一枚の板を有することを特徴とするよじ登りおもちゃ。
【考案の詳細な説明】
【技術分野】
【０００１】
本考案は、よじ登りおもちゃに関するものである。
【背景技術】
【０００２】
従来、図１，図２に示すように、よじ登りというおもちゃがある（例、非特許文献１、非特許文献２）。
図２に示すように、厚紙の円筒あるいは多角形の枠（以下枠１という）に、進めたい左方向のたこ糸又は組み紐あるいはロープ（以下ロープ４という）を通す穴の間隔を狭め、反対側のロープ４を通す穴の間隔を広くした直径２ｍｍ位の穴（以下穴５という）を４個あけて、直径１ｍｍ位のロープ４を通してループ状に結ぶ。
【０００３】
図２ｂに示すループ状のロープ４の下の端を右手で支え、上の端を左手で支えて、右手で黒い実線の矢印のようにロープ４を往復運動させても、図２ａに示すように左手で黒い点線の矢印のようにロープ４を往復運動させても、枠１は黒い点線の矢印のようにロープ４の幅が狭い上へ動く。
【０００４】
この場合、枠１はロープ４を往復運動させると上へは動くが、下へは動かないため、ロープ４の下のほうへは枠１を手で支えて動かすか又は左手でロープ４の左端を持ち上げておいて、重力の働きで枠１をロープ４の下の端に移動させなければならないという欠点があった。
【０００５】
上記のように従来のよじ登りおもちゃは、ロープ４を持っている右の手を放して枠１を支えて動かさなければならないとか、左手を上に上げておいて重力の働きを待つなどの問題を有していた。
【先行技術文献】
【非特許文献】
【０００６】
【非特許文献１】木内  勝著「工作図鑑」福音館書店、１９８８年３月５日発行、P６６〜６７
【非特許文献２】小黒三郎著「組み木の昇り人形」大月書店、１９９８年１１月２０日発行、P２２
【考案の概要】
【考案が解決しようとする課題】
【０００７】
本考案は上記の問題点に鑑み、両方向に動くよじ登りおもちゃを提供するものである。
【課題を解決するための手段】
【０００８】
請求項１の考案は、ロープを用いて動作するよじ登りおもちゃにおいて、枠の一の部分に設けられたロープを通す２つの穴と、前記一の部分に向かい合う他の部分に設けられたロープを通す２つの穴の間におけるロープが直線状態にならないようにする手段を有することを特徴とするよじ登りおもちゃに係る。
【０００９】
請求項２の考案は、請求項１において、前記ロープが直線状態にならないようにする手段が、枠内に設けられたじゃま板であるよじ登りおもちゃに係る。
【００１０】
請求項３の考案は、請求項１において、前記ロープが直線状態にならないようにする手段が、ロープ４を枠１の外へ遠回りさせるよじ登りおもちゃに係る。
【００１１】
請求項４の考案は、ロープを用いて動作するよじ登りおもちゃにおいて、ロープ４を通す穴７を４つ有する一枚の板３を有することを特徴とするよじ登りおもちゃに係る。
【考案の効果】
【００１２】
請求項１の考案によれば、ロープを用いて動作するよじ登りおもちゃにおいて、枠の一の部分に設けられたロープを通す２つの穴と、前記一の部分に向かい合う他の部分に設けられたロープを通す２つの穴の間におけるロープが直線状態にならないようにする手段を有することを特徴とするために、両方向に動く往復可能なよじ登りを提供できる。
【００１３】
請求項２の考案によれば、請求項１において、前記ロープが直線状態にならないようにする手段が、枠内に設けられたじゃま板であるため、請求項３の考案によれば、請求項１において、前記ロープが直線状態にならないようにする手段が、ロープ４を枠１の外へ遠回りさせるため、請求項４の考案によれば、ロープを用いて動作するよじ登りおもちゃにおいて、ロープ４を通す穴７を４つ有する一枚の板３を有するため、部品点数を減らした両方向に動く往復可能な、多彩なよじ登りを提供できる。
【図面の簡単な説明】
【００１４】
【図１】従来から「よじ登り」と呼ばれているものを説明した図である。
【図２】従来の「よじ登り」の動き方を説明した図である。
【図３】請求項１，２に係るよじ登りおもちゃを説明した図である。
【図４】請求項３に係るよじ登りおもちゃを説明した図である。
【図５】請求項４に係るよじ登りおもちゃを説明した図である。
【考案を実施するための形態】
【００１５】
図３に示したように、本考案に係るよじ登りおもちゃは、枠１の一の部分に設けられたロープ４を通す２つの穴５と前記一の部分に向かい合う他の部分に設けられたロープ４を通す穴５の間において、ロープ４が直線状態にならないようにする手段を有する。枠１の形と大きさは特に限定されないが、形は円形、多角形、棚状の枠で大きさは縦横が５０〜１００ｍｍ位が好ましい。また、ロープ４の太さと長さは特に限定されないが、太さは１〜１．５ｍｍで長さは１〜１．５ｍ位が好ましく、穴５の直径は２〜３ｍｍ位が好ましい。
【００１６】
ロープ４が直線状態にならないようにする手段は、図３に示すように、厚紙又は竹ひごなど（以下じゃま板２という）を枠１に付けたもの、図４に示すように、ロープ４を枠１の外側へ遠回りさせるため枠１に穴６をあけたり、竹ひごなどを付けたもの、図５に示すように、厚紙又はプラスチックあるいは木などの一枚の板（以下一枚の板３という）にロープ４を通す穴７を４個あけたもの、などがある。
【００１７】
これより以下使い方について説明する。図３に示すように、動かし方は、ループ状のロープ４の右の端と左の端のループを右手と左手で支えて、右手又は左手でロープ４を往復運動させる。その際、動かす右手又は左手の反対側の手は、ロープ４を押さえずにループ状の部分を指又は手にとおしてロープ４を滑らせるようにする。
【００１８】
上記のようにロープ４を右手又は左手で往復運動させると、じゃま板２などがロープ４の動きの抵抗になって、よじ登りの動く向きが決まる。
【００１９】
ループ状のロープ４を右手と左手で支えて、右手のロープ４を往復運動させ左手を滑らせれば枠１は右へ動き、左手のロープ４を往復運動させ右手を滑らせれば枠１は左へ動くので、右手を動かすか左手を動かすだけで、簡単に枠１を右又は左に動かすこと、すなわち往復させることが可能である。
【００２０】
本考案に係るおもちゃは、枠に通すロープが枠内で直線状態にならないものであれば、上記の構成に限定されない。又、本考案に係るおもちゃは、ロープウェイのおもちゃ、エレベーターのおもちゃ、もの干しのおもちゃ、などに使用できる。
【符号の説明】
【００２１】
１    枠
２    じゃま板
３    一枚の板
４    ロープ
５    穴
６    穴
７    穴
【図１】
0003163569.tif 000003
【図２】
0003163569.tif 000004
【図３】
0003163569.tif 000005
【図４】
0003163569.tif 000006
【図５】
0003163569.tif 000007